(57)【要約】【課題】  部品点数が少なくて経済的で耐衝撃性に優れていること。【解決手段】  左右一対の縦板部１ａ，１ｃと上下一対の横板部１ｂ，１ｄとからなる矩形枠状のモールドフレーム１が設けられ、該モールドフレーム１の前面に液晶セルが配置されると共に、そのモールドフレーム１の後面に反射シートを介して支持フレームが固定され、互いに平行する長尺の横管部８ａと該両横管部８ａどうしをつなぐ短尺の縦管部８ｂとを備えたＵ字状光源８を有しており、両横管部８ａの遊端に被せたランプソケット６を一方の縦板部１ａに形成した小ポケットＰａ内に差し込むと共に、縦管部８ｂに被せたランプホルダ１３を他方の縦板部１ｃに形成した大ポケットＰｂ内に差し込むことにより、Ｕ字状光源８がモールドフレーム１の所定位置に配置されている。【選択図】        図４
2006171167.tif 000002
【特許請求の範囲】
【請求項１】
左右一対の縦板部と上下一対の横板部とからなる矩形枠状のモールドフレームを有し、
該モールドフレームの前面に液晶セルが配置されると共に、そのモールドフレームの後面
に反射シートを介して支持フレームが固定され、複数の直管状光源がその両端に被せたラ
ンプソケットを介して前記両縦板部間に所定間隔をおいて平行して配置されており、その
各直管状光源により後方から液晶セルを照らすようにした液晶モジュールにおいて、前記
各直管状光源に代えて複数のＵ字状光源が用いられ、該各Ｕ字状光源が互いに平行する長
尺の横管部と該両横管部どうしをつなぐ短尺の縦管部とからなり、前記各縦板部の後端縁
に各横管部の両端を挿通するための挿通凹部が形成され、一方の縦板部の外周面に各挿通
凹部を取り囲むようにして複数の略コ字状小枠体が一体突設され、他方の縦板部の外周面
に隣接する２つの挿通凹部を取り囲むようにして複数の縦長略コ字状大枠体が一体突設さ
れると共に、該各大枠体の内側面中央部に一対の位置決め突起片が所定間隔をおいて一体
突設され、各Ｕ字状光源に対して２つのランプソケットと１つのランプホルダとが用いら
れ、前記各ランプソケットが小枠体内の小ポケットとほぼ同形の矩形ブロック状弾性体か
らなり該弾性体に貫設したランプ孔を介して各横管部の遊端に被せられ、前記ランプホル
ダが、大枠体内の大ポケットと横幅がほぼ同一で前記両位置決め突起片間の間隔と縦幅が
ほぼ同一に設定した弾性体からなるホルダ本体と、該ホルダ本体に一体形成されて両端を
そのホルダ本体から両側に延ばして両横管部間の間隔とほぼ同一長さに設定したアーム部
とを有し、前記ホルダ本体が、縦管部の外径よりも若干大きい間隔をおいて平行する一対
の挟持片と、該両挟持片間の中央をつなぐランプ孔付き中間片とからなり、該中間片にそ
の端面からランプ孔に達するスリットが形成され、前記アーム部に通気孔が貫設されてお
り、前記スリットを通ってランプ孔を縦管部に嵌合させアーム部の両端を両横管部と縦管
部との間のコーナ部に当接させることにより該縦管部に被せたランプホルダを大ポケット
内に差し込むと共に、前記各ランプソケットを各小ポケット内に差し込むことにより、Ｕ
字状光源をモールドフレームの所定位置に配置するようにしたことを特徴とする液晶モジ
ュール。
【請求項２】
左右一対の縦板部と上下一対の横板部とからなる矩形枠状のモールドフレームを有し、
該モールドフレームの前面に液晶セルが配置されると共に、そのモールドフレームの後面
に反射シートを介して支持フレームが固定され、複数の直管状光源がその両端に被せたラ
ンプソケットを介して前記両縦板部間に所定間隔をおいて平行して配置されており、その
各直管状光源により後方から液晶セルを照らすようにした液晶モジュールにおいて、前記
各直管状光源に代えて複数のＵ字状光源が用いられ、該各Ｕ字状光源が互いに平行する長
尺の横管部と該両横管部どうしをつなぐ短尺の縦管部とからなり、前記各縦板部の後端縁
に各横管部の両端を挿通するための挿通凹部が形成され、一方の縦板部の外周面に各挿通
凹部を取り囲むようにして複数の略コ字状小枠体が一体突設され、他方の縦板部の外周面
に隣接する２つの挿通凹部を取り囲むようにして複数の縦長略コ字状大枠体が一体突設さ
れ、各Ｕ字状光源に対して２つのランプソケットと１つのランプホルダとが用いられ、前
記各ランプソケットが小枠体内の小ポケットとほぼ同形の矩形ブロック状弾性体からなり
該弾性体に貫設したランプ孔を介して各横管部の遊端に被せられ、前記各大枠体内に略コ
字状の内側枠体を一体形成することにより該内側枠体内に大ポケットよりも一回り小さい
内ポケットが形成され、各大枠体内の一方の挿通凹部に対向する位置に横管部の外径と同
一または若干大きい間隔をおいて一対の位置決めピンが突設され、前記ランプホルダが、
内ポケットと横幅及び縦幅をほぼ同一に設定した底片と、該底片の外周縁に一体形成した
一対の縦片及び一対のランプ孔付き横片とを有する矩形箱状弾性体からなり、前記両縦片
間の間隔が縦管部の外径よりも大きく設定され、前記各横片にその端面からランプ孔に達
するスリットが形成されており、該スリットを通ってランプ孔を縦管部に嵌合させること
により該縦管部に被せたランプホルダを内ポケット内に差し込むと共に、一方の横管部を
両位置決めピン間に差し込み、前記各ランプソケットを各小ポケット内に差し込むことに
より、Ｕ字状光源をモールドフレームの所定位置に配置するようにしたことを特徴とする
液晶モジュール。
【請求項３】
左右一対の縦板部と上下一対の横板部とからなる矩形枠状のモールドフレームを有し、
該モールドフレームの前面に液晶セルが配置されると共に、そのモールドフレームの後面
に反射シートを介して支持フレームが固定され、複数の光源が前記両縦板部間に所定間隔
をおいて平行して配置されており、その各光源により後方から液晶セルを照らすようにし
た液晶モジュールにおいて、前記各光源が互いに平行する長尺の横管部と該両横管部どう
しをつなぐ短尺の縦管部とを備えたＵ字状光源からなり、前記各縦板部の後端縁に各横管
部の両端を挿通するための挿通凹部が形成され、一方の縦板部の外周面に各挿通凹部を取
り囲むようにして複数の略コ字状小枠体が一体突設され、他方の縦板部の外周面に隣接す
る２つの挿通凹部を取り囲むようにして複数の縦長略コ字状大枠体が一体突設されており
、縦管部に嵌合させた弾性体からなるランプホルダを前記大枠体内の大ポケットに差し込
むと共に、両横管部の遊端に被せた弾性体からなるランプソケットを前記各小枠体内の小
ポケットに差し込むことにより、Ｕ字状光源をモールドフレームの所定位置に配置するよ
うにしたことを特徴とする液晶モジュール。
【請求項４】
前記ランプホルダが、大ポケットと横幅がほぼ同一で前記各大枠体の内側面中央部に一
体突設した一対の位置決め突起片間の間隔と縦幅がほぼ同一に設定したホルダ本体と、該
ホルダ本体に一体形成されて両端をそのホルダ本体から両側に延ばして両横管部間の間隔
とほぼ同一長さに設定したアーム部とを有し、前記ホルダ本体が、縦管部の外径よりも若
干大きい間隔をおいて平行する一対の挟持片と、該両挟持片間の中央をつなぐランプ孔付
き中間片とからなり、該中間片にその端面からランプ孔に達するスリットが形成され、前
記アーム部に通気孔が貫設されており、前記スリットを通ってランプ孔を縦管部に嵌合さ
せアーム部の両端を両横管部と縦管部との間のコーナ部に当接させることにより該縦管部
に被せたランプホルダを大ポケット内に差し込むようにしたことを特徴とする請求項３に
記載の液晶モジュール。
【請求項５】
前記各大枠体内に略コ字状の内側枠体を一体形成することにより該内側枠体内に大ポケ
ットよりも一回り小さい内ポケットが形成され、各大枠体内の一方の挿通凹部に対向する
位置に横管部の外径と同一または若干大きい間隔をおいて一対の位置決めピンが突設され
、前記ランプホルダが、内ポケットと横幅及び縦幅をほぼ同一に設定した底片と、該底片
の外周縁に一体形成した一対の縦片及び一対のランプ孔付き横片とを有する矩形箱状弾性
体からなり、前記両縦片間の間隔が縦管部の外径よりも若干大きく設定され、前記各横片
にその端面からランプ孔に達するスリットが形成されており、該スリットを通ってランプ
孔を縦管部に嵌合させることにより該縦管部に被せたランプホルダを内ポケット内に差し
込み、一方の横管部を両位置決めピン間に差し込むようにしたことを特徴とする請求項３
に記載の液晶モジュール。
【発明の詳細な説明】
【技術分野】
【０００１】
本発明は、例えばテレビジョン受像機やパソコン用モニターとして使用され、部品点数
が少なくて経済的で耐衝撃性に優れた液晶モジュールに関する。
【背景技術】
【０００２】
従来、液晶モジュールの一例として図１１に示すものがある。これは、矩形枠状の合成
樹脂製モールドフレーム１を有し、該モールドフレーム１の前面に液晶セル２が配置され
ると共に、そのモールドフレーム１の後面に反射シート３を介して金属板製支持フレーム
４が固定され、複数の冷陰極管からなる直管状光源５がその両端に被せたゴムなどの弾性
体からなるランプソケット６を介してモールドフレーム１内に所定間隔をおいて平行して
配置されており、その各直管状光源５により後方から液晶セル２を照らすようになってい
る。
【特許文献１】特開平８−７６１２２号公報
【発明の開示】
【発明が解決しようとする課題】
【０００３】
上記構成によれば、直管状光源５により液晶セル２を後方から均等に照らすようになっ
ているから、該直管状光源５が多数必要であると共に、その直管状光源５の数の倍だけラ
ンプソケット６も必要であり、しかも、各直管状光源５ごとに１つのインバータ回路が必
要であるから、部品点数が多くなり、コストアップになっている。
【０００４】
そこで、特許文献１などに記載しているように、各直管状光源５に代えてＵ字状光源を
用いることが考えられる。これによると、部品点数を大幅に減らしてコストダウンを図る
ことできる。
【０００５】
しかし、前記Ｕ字状光源は、互いに平行する長尺の横管部と該両横管部どうしをつなぐ
短尺の縦管部とからなり、その両横管部の遊端及び縦管部が係止具によりモールドフレー
ム１に直接的に取り付けられていることから、例えば搬送時に衝撃がかかったときに、そ
の衝撃力が両横管部の遊端や縦管部に集中的にかかって損傷されるおそれがある。
【０００６】
本発明は、上記従来の欠点に鑑み、部品点数が少なくて経済的で耐衝撃性に優れた液晶
モジュールを提供することを目的としている。
【課題を解決するための手段】
【０００７】
上記目的を達成するため、請求項１に記載の発明は、左右一対の縦板部と上下一対の横
板部とからなる矩形枠状のモールドフレームを有し、該モールドフレームの前面に液晶セ
ルが配置されると共に、そのモールドフレームの後面に反射シートを介して支持フレーム
が固定され、複数の直管状光源がその両端に被せたランプソケットを介して前記両縦板部
間に所定間隔をおいて平行して配置されており、その各直管状光源により後方から液晶セ
ルを照らすようにした液晶モジュールにおいて、前記各直管状光源に代えて複数のＵ字状
光源が用いられ、該各Ｕ字状光源が互いに平行する長尺の横管部と該両横管部どうしをつ
なぐ短尺の縦管部とからなり、前記各縦板部の後端縁に各横管部の両端を挿通するための
挿通凹部が形成され、一方の縦板部の外周面に各挿通凹部を取り囲むようにして複数の略
コ字状小枠体が一体突設され、他方の縦板部の外周面に隣接する２つの挿通凹部を取り囲
むようにして複数の縦長略コ字状大枠体が一体突設されると共に、該各大枠体の内側面中
央部に一対の位置決め突起片が所定間隔をおいて一体突設され、各Ｕ字状光源に対して２
つのランプソケットと１つのランプホルダとが用いられ、前記各ランプソケットが小枠体
内の小ポケットとほぼ同形の矩形ブロック状弾性体からなり該弾性体に貫設したランプ孔
を介して各横管部の遊端に被せられ、前記ランプホルダが、大枠体内の大ポケットと横幅
がほぼ同一で前記両位置決め突起片間の間隔と縦幅がほぼ同一に設定した弾性体からなる
ホルダ本体と、該ホルダ本体に一体形成されて両端をそのホルダ本体から両側に延ばして
両横管部間の間隔とほぼ同一長さに設定したアーム部とを有し、前記ホルダ本体が、縦管
部の外径よりも若干大きい間隔をおいて平行する一対の挟持片と、該両挟持片間の中央を
つなぐランプ孔付き中間片とからなり、該中間片にその端面からランプ孔に達するスリッ
トが形成され、前記アーム部に通気孔が貫設されており、前記スリットを通ってランプ孔
を縦管部に嵌合させアーム部の両端を両横管部と縦管部との間のコーナ部に当接させるこ
とにより該縦管部に被せたランプホルダを大ポケット内に差し込むと共に、前記各ランプ
ソケットを各小ポケット内に差し込むことにより、Ｕ字状光源をモールドフレームの所定
位置に配置するようにしたことを特徴としている。
【０００８】
請求項２に記載の発明は、左右一対の縦板部と上下一対の横板部とからなる矩形枠状の
モールドフレームを有し、該モールドフレームの前面に液晶セルが配置されると共に、そ
のモールドフレームの後面に反射シートを介して支持フレームが固定され、複数の直管状
光源がその両端に被せたランプソケットを介して前記両縦板部間に所定間隔をおいて平行
して配置されており、その各直管状光源により後方から液晶セルを照らすようにした液晶
モジュールにおいて、前記各直管状光源に代えて複数のＵ字状光源が用いられ、該各Ｕ字
状光源が互いに平行する長尺の横管部と該両横管部どうしをつなぐ短尺の縦管部とからな
り、前記各縦板部の後端縁に各横管部の両端を挿通するための挿通凹部が形成され、一方
の縦板部の外周面に各挿通凹部を取り囲むようにして複数の略コ字状小枠体が一体突設さ
れ、他方の縦板部の外周面に隣接する２つの挿通凹部を取り囲むようにして複数の縦長略
コ字状大枠体が一体突設され、各Ｕ字状光源に対して２つのランプソケットと１つのラン
プホルダとが用いられ、前記各ランプソケットが小枠体内の小ポケットとほぼ同形の矩形
ブロック状弾性体からなり該弾性体に貫設したランプ孔を介して各横管部の遊端に被せら
れ、前記各大枠体内に略コ字状の内側枠体を一体形成することにより該内側枠体内に大ポ
ケットよりも一回り小さい内ポケットが形成され、各大枠体内の一方の挿通凹部に対向す
る位置に横管部の外径と同一または若干大きい間隔をおいて一対の位置決めピンが突設さ
れ、前記ランプホルダが、内ポケットと横幅及び縦幅をほぼ同一に設定した底片と、該底
片の外周縁に一体形成した一対の縦片及び一対のランプ孔付き横片とを有する矩形箱状弾
性体からなり、前記両縦片間の間隔が縦管部の外径よりも大きく設定され、前記各横片に
その端面からランプ孔に達するスリットが形成されており、該スリットを通ってランプ孔
を縦管部に嵌合させることにより該縦管部に被せたランプホルダを内ポケット内に差し込
むと共に、一方の横管部を両位置決めピン間に差し込み、前記各ランプソケットを各小ポ
ケット内に差し込むことにより、Ｕ字状光源をモールドフレームの所定位置に配置するよ
うにしたことを特徴としている。
【０００９】
請求項３に記載の発明は、左右一対の縦板部と上下一対の横板部とからなる矩形枠状の
モールドフレームを有し、該モールドフレームの前面に液晶セルが配置されると共に、そ
のモールドフレームの後面に反射シートを介して支持フレームが固定され、複数の光源が
前記両縦板部間に所定間隔をおいて平行して配置されており、その各光源により後方から
液晶セルを照らすようにした液晶モジュールにおいて、前記各光源が互いに平行する長尺
の横管部と該両横管部どうしをつなぐ短尺の縦管部とを備えたＵ字状光源からなり、前記
各縦板部の後端縁に各横管部の両端を挿通するための挿通凹部が形成され、一方の縦板部
の外周面に各挿通凹部を取り囲むようにして複数の略コ字状小枠体が一体突設され、他方
の縦板部の外周面に隣接する２つの挿通凹部を取り囲むようにして複数の縦長略コ字状大
枠体が一体突設されており、縦管部に嵌合させた弾性体からなるランプホルダを前記大枠
体内の大ポケットに差し込むと共に、両横管部の遊端に被せた弾性体からなるランプソケ
ットを前記各小枠体内の小ポケットに差し込むことにより、Ｕ字状光源をモールドフレー
ムの所定位置に配置するようにしたことを特徴としている。
【００１０】
請求項４に記載の発明は、請求項３に記載の発明において、前記ランプホルダが、大ポ
ケットと横幅がほぼ同一で前記各大枠体の内側面中央部に一体突設した一対の位置決め突
起片間の間隔と縦幅がほぼ同一に設定したホルダ本体と、該ホルダ本体に一体形成されて
両端をそのホルダ本体から両側に延ばして両横管部間の間隔とほぼ同一長さに設定したア
ーム部とを有し、前記ホルダ本体が、縦管部の外径よりも若干大きい間隔をおいて平行す
る一対の挟持片と、該両挟持片間の中央をつなぐランプ孔付き中間片とからなり、該中間
片にその端面からランプ孔に達するスリットが形成され、前記アーム部に通気孔が貫設さ
れており、前記スリットを通ってランプ孔を縦管部に嵌合させアーム部の両端を両横管部
と縦管部との間のコーナ部に当接させることにより該縦管部に被せたランプホルダを大ポ
ケット内に差し込むようにしたことを特徴としている。
【００１１】
請求項５に記載の発明は、請求項３に記載の発明において、前記各大枠体内に略コ字状
の内側枠体を一体形成することにより該内側枠体内に大ポケットよりも一回り小さい内ポ
ケットが形成され、各大枠体内の一方の挿通凹部に対向する位置に横管部の外径と同一ま
たは若干大きい間隔をおいて一対の位置決めピンが突設され、前記ランプホルダが、内ポ
ケットと横幅及び縦幅をほぼ同一に設定した底片と、該底片の外周縁に一体形成した一対
の縦片及び一対のランプ孔付き横片とを有する矩形箱状弾性体からなり、前記両縦片間の
間隔が縦管部の外径よりも若干大きく設定され、前記各横片にその端面からランプ孔に達
するスリットが形成されており、該スリットを通ってランプ孔を縦管部に嵌合させること
により該縦管部に被せたランプホルダを内ポケット内に差し込み、一方の横管部を両位置
決めピン間に差し込むようにしたことを特徴としている。
【発明の効果】
【００１２】
請求項１に記載の発明は、第１の実施の形態（図１〜図７参照）に対応するものであっ
て、これによれば、液晶セルを後方から照らすためにＵ字状光源を用いており、従来の直
管状光源を用いる場合に比べて、その光源の数を半減させることができると共に、ランプ
ソケット及びインバータ回路などの部品点数も半減させることができ、大幅なコストダウ
ンを図ることができる。
【００１３】
また、ランプホルダがホルダ本体とアーム部とを有し、ホルダ本体の両挟持片間のラン
プ孔付き中間片にスリットが形成されているから、そのスリットを通ってランプ孔を縦管
部に嵌合させるだけで、ランプホルダを縦管部に容易に被せることができる。
【００１４】
更に、横管部の長手方向に沿って横方向にかかる衝撃力に対してはランプソケット及び
ランプホルダを介してモールドフレームの縦板部と小枠体及び大枠体とで受け止め、縦管
部の長手方向に沿って縦方向にかかる衝撃力に対してはランプソケット及びランプホルダ
を介して両位置決め突起片及び小枠体により受け止め、横方向及び縦方向とは直交する前
後方向にかかる衝撃力に対してはランプソケット及びランプホルダを介してモールドフレ
ームと支持フレームとで受け止めるようになっており、例えば搬送時にＵ字状光源に対し
てあらゆる角度から衝撃力がかかっても、ランプソケット及びランプホルダで確実に緩衝
して、両横管部の遊端や縦管部に衝撃力が集中的にかからないようになっており、これに
よって、Ｕ字状光源が衝撃力で損傷されないようにして、耐衝撃性に優れた液晶モジュー
ルを提供するものである。
【００１５】
しかも、ランプホルダのアーム部に通気孔が貫設されると共に、ホルダ本体の両挟持片
が縦管部から離間されているから、通気性が良くてランプホルダ内に熱気が溜まるとがな
く、しかも、ホルダ本体の中間片がランプ孔の内周面を介して縦管部に小さく接触してい
るだけであるから、その縦管部の発熱による温度上昇で輝度低下を招くことがなく、Ｕ字
状光源の寿命を長く延ばすことができる。
【００１６】
請求項２に記載の発明は第１の実施の形態（図８〜図１０参照）に対応するものであっ
て、これによれば、請求項１に記載の発明とほぼ同様の効果を得ることができ、特に、ラ
ンプホルダが、各大枠体内の内ポケットと横幅及び縦幅をほぼ同一に設定した底片と、該
底片の外周縁に一体形成した一対の縦片及び一対のランプ孔付き横片とを有する矩形箱状
弾性体からなり、各横片にその端面からランプ孔に達するスリットが形成されているから
、そのスリットを通ってランプ孔を縦管部に嵌合させるだけで、ランプホルダを縦管部に
容易に被せることができる。
【００１７】
また、横管部の長手方向に沿って横方向にかかる衝撃力に対してはランプソケット及び
ランプホルダを介して小枠体及び内側枠体とモールドフレームとで受け止め、縦管部の長
手方向に沿って縦方向にかかる衝撃力に対してはランプソケット及びランプホルダの両横
片と横管部を挟持する両位置決めピンとで受け止め、横方向及び縦方向とは直交する前後
方向にかかる衝撃力に対してはランプソケット及びランプホルダを介してモールドフレー
ムと支持フレームとで受け止めるようになっており、例えば搬送時にＵ字状光源に対して
あらゆる角度から衝撃力がかかっても、ランプソケット及びランプホルダで確実に緩衝し
て、両横管部の遊端や縦管部に衝撃力が集中的にかからないようになっており、これによ
って、Ｕ字状光源が衝撃力で損傷されないようにして、耐衝撃性に優れた液晶モジュール
を提供することができる。
【００１８】
更に、ランプホルダの両縦片が縦管部から離間されているから、通気性が良くてランプ
ホルダ内に熱気が溜まるとがなく、しかも、両横片のランプ孔を介して縦管部に小さく接
触しているだけであるから、その縦管部の発熱による温度上昇で輝度低下を招くことがな
く、Ｕ字状光源の寿命を長く延ばすことができる。
【００１９】
請求項３に記載の発明は基本形態に対応するものであって、液晶セルを後方から照らす
ためにＵ字状光源を用いており、従来の直管状光源を用いる場合に比べて、その光源の数
を半減させることができると共に、ランプソケット及びインバータ回路などの部品点数も
半減させることができ、大幅なコストダウンを図ることができる。
【００２０】
また、Ｕ字状光源の縦管部に嵌合させたランプホルダを大ポケットに差し込むと共に、
該Ｕ字状光源の両横管部の遊端に被せたランプソケットを小ポケットに差し込むだけで、
そのＵ字状光源をモールドフレームの所定位置に配置することができると共に、例えば搬
送時に衝撃がかかっても、その衝撃力がランプホルダや各ランプソケットにより緩衝され
て、両横管部の遊端や縦管部に衝撃力が集中的にかかることがなく、耐衝撃性に優れた液
晶モジュールを提供することができる。
【００２１】
請求項４に記載の発明によれば、ランプホルダがホルダ本体とアーム部とを有し、ホル
ダ本体の両挟持片間のランプ孔付き中間片にスリットが形成されているから、そのスリッ
トを通ってランプ孔を縦管部に嵌合させるだけで、ランプホルダを縦管部に容易に被せる
ことができる。
【００２２】
また、横管部の長手方向に沿って横方向にかかる衝撃力に対してはランプホルダを介し
てモールドフレームの縦板部と大枠体とで受け止め、縦管部の長手方向に沿って縦方向に
かかる衝撃力に対してはランプホルダを介して両位置決め突起片により受け止め、横方向
及び縦方向とは直交する前後方向にかかる衝撃力に対してはランプホルダを介してモール
ドフレームと支持フレームとで受け止めるようになっており、Ｕ字状光源に対してあらゆ
る角度から衝撃力がかかっても、ランプホルダで確実に緩衝して、Ｕ字状光源が衝撃力で
損傷されないようにすることができる。
【００２３】
更に、アーム部に通気孔が貫設されると共に、ホルダ本体の両挟持片が縦管部から離間
されているから、通気性が良くてランプホルダ内に熱気が溜まるとがなく、しかも、ホル
ダ本体の中間片がランプ孔の内周面を介して縦管部に小さく接触しているだけであるから
、その縦管部の発熱による温度上昇で輝度低下を招くことがなく、Ｕ字状光源の寿命を長
く延ばすことができる。
【００２４】
請求項５に記載の発明によれば、ランプホルダが、各大枠体内の内ポケットと横幅及び
縦幅をほぼ同一に設定した底片と、該底片の外周縁に一体形成した一対の縦片及び一対の
ランプ孔付き横片とを有する矩形箱状弾性体からなり、各横片にその端面からランプ孔に
達するスリットが形成されているから、そのスリットを通ってランプ孔を縦管部に嵌合さ
せるだけで、ランプホルダを縦管部に容易に被せることができる。
【００２５】
また、横管部の長手方向に沿って横方向にかかる衝撃力に対してはランプホルダを介し
て内ポケットを形成する内側枠体とモールドフレームとで受け止め、縦管部の長手方向に
沿って縦方向にかかる衝撃力に対してはランプホルダの両横片と横管部を挟持する両位置
決めピンとで受け止め、横方向及び縦方向とは直交する前後方向にかかる衝撃力に対して
はランプホルダを介してモールドフレームと支持フレームとで受け止めるようになってお
り、Ｕ字状光源に対してあらゆる角度から衝撃力がかかっても、ランプホルダで確実に緩
衝して、Ｕ字状光源が衝撃力で損傷されないようにすることができる。
【００２６】
更に、両縦片が縦管部から離間されているから、通気性が良くてランプホルダ内に熱気
が溜まるとがなく、しかも、両横片のランプ孔を介して縦管部に小さく接触しているだけ
であるから、その縦管部の発熱による温度上昇で輝度低下を招くことがなく、Ｕ字状光源
の寿命を長く延ばすことができる。
【発明を実施するための最良の形態】
【００２７】
図１〜図７は本発明の第１の実施の形態である液晶モジュールの要部を示すものであっ
て、従来の複数の直管状光源５（図１１参照）に代えて複数（この実施の形態では２本）
のＵ字状光源８が用いられ、該各Ｕ字状光源８が、互いに平行する長尺の横管部８ａと該
両横管部８ａどうしをつなぐ短尺の縦管部８ｂとを備え、モールドフレーム１が、前広が
り状に傾斜させた左右一対の縦板部１ａ，１ｃと上下一対の横板部１ｂ，１ｄとにより矩
形枠状に形成され、各縦板部１ａ，１ｃの後端縁に各横管部８ａの両端を挿通するための
挿通凹部９が形成され、一方の縦板部１ａの外周面に各挿通凹部９を取り囲むようにして
複数の略コ字状小枠体１０が一体突設され、他方の縦板部１ｃの外周面に隣接する２つの
挿通凹部９を取り囲むようにして複数の縦長略コ字状大枠体１１が一体突設されると共に
、該各大枠体１１の内側面中央部に一対の位置決め突起片１２が所定間隔をおいて一体突
設され、各Ｕ字状光源８に対して２つのランプソケット６と１つのランプホルダ１３とが
用いられている。なお、図２及び図３中、１４は拡散シート、１５は拡散板、１６はベゼ
ル、１７はランプケーブルである。上記以外の構成で図１１に示す構成と同一部分に同一
符号を付してその説明を省略する。
【００２８】
上記構成によれば、液晶セル２を後方から照らすためにＵ字状光源８を用いており、従
来の直管状光源５（図１１参照）を用いる場合に比べて、その光源８の数を半減させるこ
とができると共に、ランプソケット６及びインバータ回路などの部品点数も半減させるこ
とができ、大幅なコストダウンを図ることができる。また、各Ｕ字状光源８の縦管部８ｂ
がモールドフレーム１の外に隠れているから、従来の直管状光源５と同じように横管部８
ａだけで液晶セル２を均等に照らすことができる。
【００２９】
前記ランプソケット６は、図５及び図６に示すように、小枠体１０内の小ポケットＰａ
とほぼ同形の矩形ブロック状に形成されたゴムなどの弾性体からなり、その中央に貫設し
たランプ孔６ａを介して各横管部８ａの遊端に被せられる。
【００３０】
前記ランプホルダ１３は、図５〜図７に示すように、ゴムなどの弾性体からなるホルダ
本体１３ａと、該ホルダ本体１３ａに一体形成されて両端をそのホルダ本体１３ａから両
側に延ばしたアーム部１３ｂとを有し、ホルダ本体１３ａの横幅ｄ１が大枠体１１内の大
ポケットＰｂの横幅ｄ２とほぼ同一に設定されると共に、該ホルダ本体１３ａの縦幅ｈ１
が両位置決め突起片１２間の間隔ｈ２とほぼ同一に設定され、アーム部１３ｂの両端間の
長さｔ１が両横管部８ａ間の間隔ｔ２とほぼ同一に設定されている。
【００３１】
前記ホルダ本体１３ａは、縦管部８ｂの外径ｋ１よりも若干大きい間隔ｋ２をおいて平
行する一対の挟持片１９と、該両挟持片１９間の中央をつなぐランプ孔２０付き中間片２
１とからなり、該中間片２１にその端面からランプ孔２０に達するスリット２２が形成さ
れ、前記アーム部１３ｂに通気孔２３が貫設されている。
【００３２】
Ｕ字状光源８の取付手順を説明すると、ランプホルダ１３のスリット２２を通ってラン
プ孔２０を縦管部８ｂに嵌合させアーム部１３ｂの両端を両横管部８ａと縦管部８ｂとの
間のコーナ部に当接させることにより、該ランプホルダ１３を縦管部８ｂに被せた状態で
（図６参照）、そのランプホルダ１３を大ポケットＰｂ内に差し込むと共に、両横管部８
ａの遊端に被せた各ランプソケット６を各小ポケットＰａ内に差し込めばよい。
【００３３】
上記構成によれば、横管部８ａの長手方向に沿って横方向ａにかかる衝撃力に対しては
ランプソケット６及びランプホルダ１３を介してモールドフレーム１の縦板部１ａ，１ｃ
と小枠体１０及び大枠体１１とで受け止め、縦管部８ｂの長手方向に沿って縦方向ｂにか
かる衝撃力に対してはランプソケット６及びランプホルダ１３を介して両位置決め突起片
１２及び小枠体１０により受け止め、横方向ａ及び縦方向ｂとは直交する前後方向ｃにか
かる衝撃力に対してはランプソケット６及びランプホルダ１３を介してモールドフレーム
１と支持フレーム４とで受け止めるようになっており、例えば搬送時にＵ字状光源８に対
してあらゆる角度から衝撃力がかかっても、ランプソケット６及びランプホルダ１３で確
実に緩衝して、両横管部８ａの遊端や縦管部８ｂに衝撃力が集中的にかからないようにな
っており、これによって、Ｕ字状光源８が衝撃力で損傷されないようにして、耐衝撃性に
優れた液晶モジュールを提供することができる。
【００３４】
また、ランプホルダ１３のアーム部１３ｂに通気孔２３が貫設されると共に、ホルダ本
体１３ａの両挟持片１９が縦管部８ｂから離間されているから、通気性が良くてランプホ
ルダ１３内に熱気が溜まるとがなく、しかも、ホルダ本体１３ａの中間片２１がランプ孔
２０の内周面を介して縦管部８ｂに小さく接触しているだけであるから、その縦管部８ｂ
の発熱による温度上昇で輝度低下を招くことがなく、Ｕ字状光源８の寿命を長く延ばすこ
とができる。
【００３５】
図８〜図１０は本発明の第２の実施の形態である液晶モジュールの要部を示すものであ
って、各大枠体１１内に略コ字状の内側枠体２５を一体形成することにより該内側枠体２
５内に大ポケットＰｂよりも一回り小さい内ポケットＰｃが形成され、各大枠体１１内の
一方の挿通凹部９に対向する位置に横管部８ａの外径ｋ１と同一または若干大きい間隔ｋ
３をおいて一対の位置決めピン２６が突設されている。上記以外の構成は第１の実施の形
態（図１〜図７参照）に記載した構成とほぼ同じであるから、同一部分に同一符号を付し
てその説明を省略する。
【００３６】
前記内ポケットＰｃ内に差し込まれるランプホルダ２７は、底片２７ａと、該底片２７
ａの外周縁に一体形成した一対の縦片２７ｂ及び一対のランプ孔２８付き横片２７ｃとを
有する矩形箱状のゴムなどの弾性体からなり、底片２７ａの横幅ｄ３が内ポケットＰｃの
横幅ｄ４とほぼ同一に設定されると共に、底片２７ａの縦幅ｈ３が内ポケットＰｃの縦幅
ｈ４とほぼ同一に設定され、両縦片２７ｂ間の間隔ｋ４が縦管部８ｂの外径ｋ１よりも若
干大きく設定され、各横片２７ｃにその端面からランプ孔２８に達するスリット２９が形
成されている。
【００３７】
Ｕ字状光源８の取付手順を説明すると、スリット２９を介してランプ孔２８を縦管部８
ｂに嵌合させることにより、ランプホルダ２７を縦管部８ｂに被せた状態で（図６参照）
、そのランプホルダ２７を内ポケットＰｃ内に差し込むと共に、一方の横管部８ａを両位
置決めピン２６間に差し込み、両横管部８ａの遊端に被せた各ランプソケット６を各小ポ
ケットＰａ内に差し込めばよい。
【００３８】
上記構成によれば、第１の実施の形態（図１〜図７）とほぼ同様の効果を得ることがで
き、特に、横管部８ａの長手方向に沿って横方向ａにかかる衝撃力に対してはランプソケ
ット６及びランプホルダ２７を介して小枠体１０及び内側枠体２５とモールドフレーム１
とで受け止め、縦管部８ｂの長手方向に沿って縦方向ｂにかかる衝撃力に対してはランプ
ソケット６及びランプホルダ２７の両横片２７ｃと横管部８ａを挟持する両位置決めピン
２６とで受け止め、横方向ａ及び縦方向ｂとは直交する前後方向ｃにかかる衝撃力に対し
てはランプソケット６及びランプホルダ２７を介してモールドフレーム１と支持フレーム
４とで受け止めるようになっており、例えば搬送時にＵ字状光源８に対してあらゆる角度
から衝撃力がかかっても、ランプソケット６及びランプホルダ２７で確実に緩衝して、両
横管部８ａの遊端や縦管部８ｂに衝撃力が集中的にかからないようになっており、これに
よって、Ｕ字状光源８が衝撃力で損傷されないようにして、耐衝撃性に優れた液晶モジュ
ールを提供することができる。
【００３９】
また、両縦片２７ｂが縦管部８ｂから離間されているから、通気性が良くてランプホル
ダ２７内に熱気が溜まるとがなく、しかも、両横片２７ｃのランプ孔２８を介して縦管部
８ｂに小さく接触しているだけであるから、その縦管部８ｂの発熱による温度上昇で輝度
低下を招くことがなく、Ｕ字状光源８の寿命を長く延ばすことができる。
【図面の簡単な説明】
【００４０】
【図１】本発明の第１の実施の形態である液晶モジュールの斜視図である。
【図２】同横断面図である。
【図３】同分解斜視図である。
【図４】同モールドフレームのＵ字状光源取付状態の裏面図である。
【図５】（ａ）は同状態の縦断面図、（ｂ）はＡ−Ａ矢視図である。
【図６】同要部の分解斜視図である。
【図７】（ａ）はランプホルダの斜視図、（ｂ）はＢ−Ｂ矢視図、（ｃ）はＣ−Ｃ矢視図、（ｄ）はＤ−Ｄ矢視図、（ｅ）はＥ−Ｅ矢視図である。
【図８】（ａ）は本発明の第２の実施の形態である液晶モジュールにおけるモールドフレームのＵ字状光源取付状態の縦断面図、（ｂ）はＦ−Ｆ矢視図、（ｃ）はＧ−Ｇ矢視図である。
【図９】同要部の分解斜視図である。
【図１０】（ａ）はランプホルダの斜視図、（ｂ）はＨ−Ｈ矢視図、（ｃ）はＩ−Ｉ矢視図、（ｄ）はＪ−Ｊ矢視図、（ｅ）はＫ−Ｋ矢視図である。
【図１１】従来例を示す斜視図である。
【符号の説明】
【００４１】
１          モールドフレーム
１ａ，１ｃ  モールドフレームの縦板部
１ｂ，１ｄ  モールドフレームの横板部
２          液晶セル
３          反射シート
４          支持フレーム
５          直管状光源
６          ランプソケット
８          Ｕ字状光源
８ａ        Ｕ字状光源の横管部
８ｂ        Ｕ字状光源の縦管部
９          挿通凹部
１０        小枠体
１１        大枠体
１２        位置決め突起片
１３        ランプホルダ
１３ａ      ランプホルダのホルダ本体
１３ｂ      ランプホルダのアーム部
１９        ホルダ本体の挟持片
２０        ランプ孔
２１        ホルダ本体の中間片
２２        中間片のスリット
２３        アーム部の通気孔
２５        内側枠体
２６        位置決めピン
２７        ランプホルダ
２７ａ      ランプホルダの底片
２７ｂ      ランプホルダの縦片
２７ｃ      ランプホルダの横片
２８        ランプ孔
２９        スリット
Ｐａ        小ポケット
Ｐｂ        大ポケット
Ｐｃ        内ポケット
ｄ１        ホルダ本体の横幅
ｈ１        ホルダ本体の縦幅
ｈ２        両位置決め突起片間の間隔
ｔ１        アーム部の両端間の長さ
ｔ２        両横管部間の間隔
ｋ１        横管部及び縦管部の外径
ｋ２        両挟持片間の間隔
ｄ３        底片の横幅
ｈ３        底片の縦幅
ｋ３        位置決めピン間の間隔
ｋ４        両縦片間の間隔
【図１】
2006171167.tif 000003
【図２】
2006171167.tif 000004
【図３】
2006171167.tif 000005
【図４】
2006171167.tif 000006
【図５】
2006171167.tif 000007
【図６】
2006171167.tif 000008
【図７】
2006171167.tif 000009
【図８】
2006171167.tif 000010
【図９】
2006171167.tif 000011
【図１０】
2006171167.tif 000012
【図１１】
2006171167.tif 000013